(57)【特許請求の範囲】
【請求項１】
名称とアドレス情報とを有するアドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、
前記変換候補としての他の文字列を記憶する文字列記憶部と、を備え、
前記制御部は、前記操作部により入力文字列が入力された場合、当該入力文字列に対応する他の文字列を前記文字列記憶部から検索させると共に、当該入力文字列に対応する名称又はアドレス情報を前記記憶部から検索させることを特徴とする電子機器。
【請求項２】
名称とアドレス情報とを有するアドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、を備え、
前記制御部は、前記入力文字列を他の文字列に変換した変換候補を表示する際、当該入力文字列に対応する名称又はアドレス情報が前記検索実行部により検索されなかった場合には、前記他の文字列のみを変換候補として前記表示部に表示させることを特徴とする電子機器。
【請求項３】
名称とアドレス情報とを有するアドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、
前記表示部に表示される変換候補を第１の態様と、当該第１の態様とは異なる第２の態様で表示するように表示を変更する態様変更部と、を備え、
前記アドレス情報に対応した処理として複数の処理を有し、
前記制御部は、前記他の文字列及び前記検索結果が前記変換候補として表示される場合には、前記他の文字列を第１の態様で、前記検索結果を第２の態様で表示するように前記態様変更部を制御すると共に、前記複数の処理の各々に対応して表示される前記検索結果としてのアドレス情報に連携した変換候補をそれぞれ異なる態様で表示するように前記態様変更部を制御することを特徴とする電子機器。
【請求項４】
名称とアドレス情報とを有するアドレスデータであって、名称又はアドレス情報と登録番号とが対応付けられる前記アドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、を備え、
前記操作部は、文字と数字の双方が割り当てられる複数のキーを有し、
前記表示部は、初期画面が表示されている状態で、前記操作部の各キーが操作された場合に、操作された前記キーに割り当てられている文字と数字を同時に表示し、
前記制御部は、前記表示部に初期画面が表示されている状態から、前記操作部の各キーが操作され、当該操作に応じた文字列と数字列が前記表示部に同時に表示された状態において、前記検索実行部による検索の結果、前記表示部に表示された数字列が前記登録番号と一致した場合には、当該登録番号に対応付けられる名称又はアドレス情報を前記他の文字列と共に変換候補として前記表示部に表示させることを特徴とする電子機器。
【請求項５】
名称とアドレス情報とを有するアドレスデータであって、名称と複数のアドレス情報とが対応付けられる前記アドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、を備え、
前記操作部は、文字と数字の双方が割り当てられる複数のキーを有し、
前記表示部は、初期画面が表示されている状態で、前記操作部の各キーが操作された場合に、操作された前記キーに割り当てられている文字と数字を同時に表示し、
前記制御部は、前記表示部に初期画面が表示されている状態から、前記操作部の各キーが操作され、当該操作に応じた文字列と数字列が前記表示部に同時に表示された状態において、前記検索実行部による検索の結果、前記表示部に表示された数字列が前記アドレスデータの電話番号により構成されるアドレス情報と一致した場合には、当該アドレス情報に対応付けられる名称又は当該名称に対応付けられる他のアドレス情報を前記他の文字列と共に変換候補として前記表示部に表示させることを特徴とする電子機器。
【請求項６】
名称とアドレス情報とを有するアドレスデータを記憶する記憶部と、
文字列を入力するための操作部と、
前記操作部により入力された文字列を表示する表示部と、
前記操作部により入力された文字列に基づいて、前記アドレスデータを検索する検索実行部と、
前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、
前記変換候補として表示される変換候補文字列を選択する選択部と、
アドレス情報と入力文字列又は入力数字列を置換する置換部と、を備え、
前記操作部は、文字と数字の双方が割り当てられている複数のキーを有し、
前記表示部は、初期画面が表示されている状態で、前記操作部の各キーが操作された場合に、操作された前記キーに割り当てられている文字と数字を同時に表示し、
前記制御部は、前記表示部に初期画面が表示されている状態から、前記操作部の各キーが操作され、当該操作に応じた文字列と数字列が前記表示部に同時に表示された状態において、前記検索実行部による検索の結果として前記表示部に表示された前記名称に対応する変換候補文字列が前記選択部により選択された場合には、前記表示部に表示された数字列を当該名称に対応付けられる電話番号により構成されるアドレス情報に置換するように前記置換部を制御することを特徴とする電子機器。
【請求項７】
前記変換候補として表示される変換候補文字列を選択する選択部と、
前記選択部により選択された変換候補文字列を確定する確定部と、
アドレス情報に対応した処理を行うアドレス情報処理部と、を備え、
前記制御部は、前記選択部により、アドレス情報に連携した変換候補文字列が選択されると共に、前記確定部により、選択された変換候補文字列が確定された場合には、当該変換候補文字列に連携したアドレス情報に対応した処理を行うように前記アドレス情報処理部を制御することを特徴とする請求項１から６のいずれか１項に記載の電子機器。
【請求項８】
一のアドレス情報を選択する情報選択部を備え、
前記記憶部は、名称と複数のアドレス情報とが対応付けられるアドレスデータを記憶し、
前記制御部は、前記選択部により、アドレス情報に連携した変換候補文字列が選択されると共に、前記確定部により、選択された変換候補文字列が確定された場合には、当該変換候補文字列に連携した複数のアドレス情報を前記表示部に表示させると共に、前記情報選択部により、一のアドレス情報が選択された場合には、当該一のアドレス情報に対応した処理を行うように前記アドレス情報処理部を制御することを特徴とする請求項７記載の電子機器。
【請求項９】
前記変換候補として表示される変換候補文字列を選択する選択部と、
前記選択部により選択された変換候補文字列を確定する確定部と、
入力された入力文字列をアドレス情報に置換する置換部と、を備え、
前記制御部は、前記選択部により、アドレス情報に連携した変換候補文字列が選択されると共に、前記確定部により選択された変換候補文字列が確定された場合には、入力された入力文字列を当該変換候補文字列に連携したアドレス情報に置換するように前記置換部を制御することを特徴とする請求項１から６のいずれか１項に記載の電子機器。
【請求項１０】
文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備え、
前記制御工程は、前記操作工程により入力文字列が入力された場合、当該入力文字列に対応する他の文字列を、前記変換候補としての他の文字列を記憶する文字列記憶部から検索させると共に、当該入力文字列に対応する名称又はアドレス情報を前記記憶部から検索させることを特徴とする電子機器の制御方法。
【請求項１１】
文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備え、
前記制御工程は、前記入力文字列を他の文字列に変換した変換候補を表示する際、当該入力文字列に対応する名称又はアドレス情報が前記検索実行工程において検索されなかった場合には、前記他の文字列のみを変換候補として前記表示部に表示させることを特徴とする電子機器の制御方法。
【請求項１２】
文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備え、
前記制御工程は、
前記表示部に表示される変換候補を第１の態様と、当該第１の態様とは異なる第２の態様で表示するように表示を変更する場合、前記他の文字列及び前記検索結果が前記変換候補として表示されると、前記他の文字列を第１の態様で、前記検索結果を第２の態様で表示すると共に、
前記アドレス情報に対応した処理として複数の処理を有する場合、前記複数の処理の各々に対応して表示される前記検索結果としてのアドレス情報に連携した変換候補をそれぞれ異なる態様で表示する
ことを特徴とする電子機器の制御方法。
【請求項１３】
文字と数字の双方が割り当てられる複数のキーによって文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータであって名称又はアドレス情報と登録番号とが対応付けられる前記アドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備え、
前記表示工程は、初期画面が表示されている状態で、前記複数のキーのいずれかが操作された場合に、操作された前記キーに割り当てられている文字と数字を同時に前記表示部に表示し、
前記制御工程は、前記表示部に初期画面が表示されている状態から、前記複数のキーのいずれかが操作され、当該操作に応じた文字列と数字列が前記表示部に同時に表示された状態において、前記検索実行工程による検索の結果、前記表示部に表示された数字列が前記登録番号と一致した場合には、当該登録番号に対応付けられる名称又はアドレス情報を前記他の文字列と共に変換候補として前記表示部に表示させることを特徴とする電子機器の制御方法。
【請求項１４】
文字と数字の双方が割り当てられる複数のキーによって文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータであって名称と複数のアドレス情報とが対応付けられる前記アドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備え、
前記表示工程は、初期画面が表示されている状態で、前記複数のキーのいずれかが操作された場合に、操作された前記キーに割り当てられている文字と数字を同時に表示し、
前記制御工程は、前記表示部に初期画面が表示されている状態から、前記複数のキーのいずれかが操作され、当該操作に応じた文字列と数字列が前記表示部に同時に表示された状態において、前記検索実行工程による検索の結果、前記表示部に表示された数字列が前記アドレスデータの電話番号により構成されるアドレス情報と一致した場合には、当該アドレス情報に対応付けられる名称又は当該名称に対応付けられる他のアドレス情報を前記他の文字列と共に変換候補として前記表示部に表示させることを特徴とする電子機器の制御方法。
【請求項１５】
文字と数字の双方が割り当てられている複数のキーによって文字列を入力するための操作工程と、
前記操作工程により入力された入力文字列と、当該入力文字列の変換候補となる変換候補文字列とを表示部に表示する表示工程と、
前記操作工程により入力された入力文字列に基づいて、名称とアドレス情報とを有するアドレスデータを記憶している記憶部から前記アドレスデータを検索する検索実行工程と、
前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、
前記変換候補として表示される変換候補文字列を選択する選択工程と、を備え、
前記表示工程は、初期画面が表示されている状態で、前記複数のキーのいずれかが操作された場合に、操作された前記キーに割り当てられている文字と数字を同時に前記表示部に表示し、
前記制御工程は、前記表示部に初期画面が表示されている状態から、前記複数のキーのいずれかが操作され、当該操作に応じた文字列と数字列が前記表示部に同時に表示された状態において、前記検索実行工程による検索の結果として前記表示部に表示された前記名称に対応する変換候補文字列が前記選択工程により選択された場合には、前記表示部に表示された数字列を当該名称に対応付けられる電話番号により構成されるアドレス情報に置換するように、アドレス情報と入力文字列又は入力数字列を置換することを特徴とする電子機器の制御方法。
【発明の詳細な説明】
【技術分野】
【０００１】
本発明は、文字を入力可能なアプリケーションを備える電子機器及び電子機器の制御方法に関する。
【背景技術】
【０００２】
従来より、文字列を入力するための操作部と、入力された文字列及び当該文字列に基づいた変換候補文字列を表示する表示部と、操作部により選択された変換候補文字列を入力させる制御部と、を備えた携帯電話機（電子機器）があった（特許文献１参照）。
また、名称とアドレス情報とを対応付けてアドレス帳として記憶する記憶部を備える携帯電話機が存在する。
【先行技術文献】
【特許文献】
【０００３】
【特許文献１】特開２００４−３２４８９号公報
【発明の概要】
【発明が解決しようとする課題】
【０００４】
しかし、携帯電話機においては、入力された文字列に基づく変換候補文字列をテキスト入力（文字入力）させるのみであった。
【０００５】
また、携帯電話機においては、所望のアドレス情報を利用したい場合には、ユーザ自らの操作により、アドレス帳にアクセスし、所望のアドレス情報を見つけ出さなければならなかった。また、アドレス帳の登録が多いほど、所望のアドレス情報を見つけ出すことはより困難となる。
【０００６】
本発明は、アドレス情報を容易に利用可能な電子機器及び電子機器の制御方法を提供することを目的とする。
【課題を解決するための手段】
【０００７】
本発明に係る電子機器は、名称とアドレス情報とを有するアドレスデータを記憶する記憶部と、文字列を入力するための操作部と、前記操作部により入力された文字列を表示する表示部と、前記操作部により入力された文字列に基づいて、前記アドレスデータを検索する検索実行部と、前記操作部により文字列が入力され、入力された入力文字列を他の文字列に変換した変換候補を表示する際、当該入力文字列に対応する名称又はアドレス情報が前記検索実行部により検索された場合には、検索された検索結果を前記他の文字列と共に変換候補として前記表示部に表示させる制御部と、を備える。
また、電子機器では、前記変換候補としての他の文字列を記憶する文字列記憶部を備え、前記制御部は、前記操作部により入力文字列が入力された場合、当該入力文字列に対応する他の文字列を前記文字列記憶部から検索させると共に、当該入力文字列に対応する名称又はアドレス情報を前記記憶部から検索させる構成でも良い。
また、電子機器では、前記制御部は、前記入力文字列を他の文字列に変換した変換候補を表示する際、当該入力文字列に対応する名称又はアドレス情報が前記検索実行部により検索されなかった場合には、前記他の文字列のみを変換候補として前記表示部に表示させる構成でも良い。
【０００８】
また、上記電子機器では、前記変換候補として表示される変換候補文字列を選択する選択部と、前記選択部により選択された変換候補文字列を確定する確定部と、アドレス情報に対応した処理を行うアドレス情報処理部と、を備え、前記制御部は、前記選択部により、アドレス情報に連携した変換候補文字列が選択されると共に、前記確定部により、選択された変換候補文字列が確定された場合には、当該変換候補文字列に連携したアドレス情報に対応した処理を行うように前記アドレス情報処理部を制御する構成でも良い。
【０００９】
また、上記電子機器では、一のアドレス情報を選択する情報選択部を備え、前記記憶部は、名称と複数のアドレス情報とが対応付けられるアドレスデータを記憶し、前記制御部は、前記選択部により、アドレス情報に連携した変換候補文字列が選択されると共に、前記確定部により、選択された変換候補文字列が確定された場合には、当該変換候補文字列に連携した複数のアドレス情報を前記表示部に表示させると共に、前記情報選択部により、一のアドレス情報が選択された場合には、当該一のアドレス情報に対応した処理を行うように前記アドレス情報処理部を制御する構成でも良い。
【００１０】
また、上記電子機器では、前記変換候補として表示される変換候補文字列を選択する選択部と、前記選択部により選択された変換候補文字列を確定する確定部と、入力された入力文字列をアドレス情報に置換する置換部と、を備え、前記制御部は、前記選択部により、アドレス情報に連携した変換候補文字列が選択されると共に、前記確定部により選択された変換候補文字列が確定された場合には、入力された入力文字列を当該変換候補文字列に連携したアドレス情報に置換するように前記置換部を制御する構成でも良い。
【００１１】
また、上記電子機器では、前記表示部に表示される変換候補を第１の態様と、当該第１の態様とは異なる第２の態様で表示するように表示を変更する態様変更部を備え、前記制御部は、前記他の文字列及び前記検索結果が前記変換候補として表示される場合には、前記他の文字列を第１の態様で、前記検索結果を第２の態様で表示するように前記態様変更部を制御する構成でも良い。
【００１２】
また、上記電子機器では、前記アドレス情報に対応した処理として複数の処理を有し、前記制御部は、前記複数の処理の各々に対応して表示される前記検索結果としてのアドレス情報に連携した変換候補をそれぞれ異なる態様で表示するように前記態様変更部を制御する構成でも良い。
【００１３】
また、上記電子機器では、前記記憶部は、名称又はアドレス情報と登録番号とが対応付けられるアドレスデータを記憶し、前記操作部は、文字と数字の双方が割り当てられる複数のキーを有し、前記表示部は、初期画面が表示されている状態で、前記操作部の各キーが操作された場合に、操作された前記キーに割り当てられている文字と数字を同時に表示し、前記制御部は、前記表示部に初期画面が表示されている状態から、前記操作部の各キーが操作され、当該操作に応じた文字列と数字列が前記表示部に同時に表示された状態において、前記検索実行部による検索の結果、前記表示部に表示された数字列が前記登録番号と一致した場合には、当該登録番号に対応付けられる名称又はアドレス情報を前記他の文字列と共に変換候補として前記表示部に表示させる構成でも良い。
【００１４】
また、上記電子機器では、前記記憶部は、名称と複数のアドレス情報とが対応付けられるアドレスデータを記憶し、前記操作部は、文字と数字の双方が割り当てられる複数のキーを有し、前記表示部は、初期画面が表示されている状態で、前記操作部の各キーが操作された場合に、操作された前記キーに割り当てられている文字と数字を同時に表示し、前記制御部は、前記表示部に初期画面が表示されている状態から、前記操作部の各キーが操作され、当該操作に応じた文字列と数字列が前記表示部に同時に表示された状態において、前記検索実行部による検索の結果、前記表示部に表示された数字列が前記アドレスデータの電話番号により構成されるアドレス情報と一致した場合には、当該アドレス情報に対応付けられる名称又は当該名称に対応付けられる他のアドレス情報を前記他の文字列と共に変換候補として前記表示部に表示させる構成でも良い。
【００１５】
また、上記電子機器では、前記変換候補として表示される変換候補文字列を選択する選択部と、アドレス情報と入力文字列又は入力数字列を置換する置換部と、を備え、前記操作部は、文字と数字の双方が割り当てられている複数のキーを有し、前記表示部は、初期画面が表示されている状態で、前記操作部の各キーが操作された場合に、操作された前記キーに割り当てられている文字と数字を同時に表示し、前記制御部は、前記表示部に初期画面が表示されている状態から、前記操作部の各キーが操作され、当該操作に応じた文字列と数字列が前記表示部に同時に表示された状態において、前記検索実行部による検索の結果として前記表示部に表示された前記名称に対応する変換候補文字列が前記選択部により選択された場合には、前記表示部に表示された数字列を当該名称に対応付けられる電話番号により構成されるアドレス情報に置換するように前記置換部を制御する構成でも良い。
【００１６】
また、本発明に係る電子機器の制御方法は、文字列を入力するための操作工程と、前記操作工程により入力された入力文字列と、当該入力文字列の変換候補となる変換候補文字列とを表示部に表示する表示工程と、前記操作工程により入力された入力文字列に基づいて、名称とアドレス情報とを有するアドレスデータを記憶している記憶部から前記アドレスデータを検索する検索実行工程と、前記操作工程により文字列が入力され、入力された入力文字列を他の文字列に変換した変換候補を表示する際、当該入力文字列に対応する名称又はアドレス情報が検索された場合には、検索された検索結果を前記他の文字列と共に変換候補として前記表示部に表示させる制御工程と、を備える。
【発明の効果】
【００１７】
本発明によれば、アドレス帳の情報を容易に利用可能な電子機器及び電子機器の制御方法を提供することができる。
【図面の簡単な説明】
【００１８】
【図１】本発明の電子機器の一例である携帯電話機の外観斜視図である。
【図２】携帯電話機の機能を示す機能ブロック図である。
【図３】携帯電話機が一実施形態の機能を発揮するための各機能の関係を示す機能ブロック図である。
【図４】携帯電話機が一実施形態の機能を発揮するための各アプリケーションと各機能との関係を示す機能ブロック図である。
【図５】文字入力機能を利用した場合における画面の変遷を示す第１の模式図である。
【図６】文字入力機能を利用した場合における画面の変遷を示す第２の模式図である。
【図７】文字入力機能を利用した場合における画面の変遷を示す第３の模式図である。
【図８】携帯電話機の一実施形態の動作（文字入力のみ）を示すフローチャートである。
【図９】携帯電話機の一実施形態の動作（文字入力と電話番号入力）を示すフローチャートである。
【発明を実施するための形態】
【００１９】
以下、本発明の一実施形態について図１から図７を用いて、説明する。なお、本実施形態においては、図１に示すように、いわゆる折り畳み型の携帯電話機１の形態を示しているが、本発明に係る携帯電話機１の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部２１とが１つの筐体に配置され、連結部を有さない形式（ストレートタイプ、フリップタイプ）でも良い。
【００２０】
携帯電話機１は、操作部側筐体部２と、表示部側筐体部３とを備える。操作部側筐体部２は、表面部１０に、操作キー１１と、携帯電話機１の使用者が通話時に発した音声を入力するマイク１２とを備える。操作キー１１は、各種設定や電話帳機能やメール機能等の各種機能を作動させるための機能設定キー１３と、電話番号の数字やメール等の文字等を入力するための入力操作キー１４（操作部）と、スクロール（選択）を行う選択操作キー１５（選択部、情報選択部）と、各種操作における決定を行う決定操作キー１６（確定部）とから構成されている。
【００２１】
また、表示部側筐体部３は、表面部２０に、各種情報を表示する表示部２１と、通話の相手側の音声を出力するスピーカ２２とを備える。
【００２２】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２３】
また、図２は、携帯電話機１の機能を示す機能ブロック図である。携帯電話機１は、図２に示すように、操作キー１１と、マイク１２と、メインアンテナ４０と、ＲＦ回路部４１と、画像処理部４２と、音声処理部４３と、メモリ４４（記憶部）と、制御部４５と、表示部２１と、スピーカ２２と、ドライバＩＣ２３とを備える。
【００２４】
メモリ４４は、バッファ領域を有し、変換データベース（以下、ＤＢという。）及びアドレス帳ＤＢを有する。
変換ＤＢには、辞書情報及び過去の変換の使用履歴情報が記憶される。また、変換ＤＢは、所定の入力文字列の全部、又は一部の検索キーワードとして入力されることにより、対応する情報を変換候補文字列として抽出可能に構成される。
【００２５】
アドレス帳ＤＢには、名称に対応付けられたアドレス情報を１つのレコードとするデータが複数登録されるアドレス帳が記憶される。また、アドレス帳ＤＢは、所定の入力文字列の全部、一部又は一部から予測される検索キーワードが入力されることにより、対応するデータを変換候補文字列として抽出可能に構成される。また、アドレス帳に登録されるレコードには、固有の登録番号が割り振られており、番号を検索キーワードにした登録番号に対応するレコードを検索することができるように構成される。
【００２６】
これらのＤＢからの変換候補文字列は、検索キーワードを全部とする検索である場合には、例えば、「すずき」という入力文字列が入力された場合には、「鈴木」、「スズキ」等を変換候補文字列として抽出する。また、検索キーワードを一部から予測する検索である場合には、例えば、「す」という入力文字列が入力された場合には、後に入力される文字列を予測して「鈴木」、「スズキ」等を変換候補文字列として抽出する。
また、複数の変換候補文字列が抽出された場合には、使用履歴や、属性（例えば、抽出されたＤＢ）等を考慮して、変換候補文字列として表示される。本実施形態においては、アドレス帳ＤＢから抽出された変換候補文字列が表示される。
【００２７】
名称（名称情報）とは、例えば、姓名からなる名前、会社名、施設名等により構成され、所定の読み、名称の表記、同一レコードのアドレス情報の表記の全部、一部又は一部から予測される文字を検索キーワードに検索可能に構成されるデータである。名称のうち、名前に関しては、例えば、姓又は名から検索可能に構成される。
【００２８】
アドレス情報とは、例えば、電話番号、メールアドレス、ｗｅｂアドレス、住所等により構成され、表記、同一レコードの名称に対応する所定の読み、名称の表記を検索キーワードに検索可能に構成されるデータである。
【００２９】
入力文字列とは、操作キー１１により入力され、単数又は複数の文字、数字又は記号により構成される文字列である。
変換候補文字列とは、入力文字列に対応する単数又は複数の文字、数字又は記号により構成される文字列である。
確定文字列とは、決定された変換候補文字列により確定した単数又は複数の文字、数字又は記号により構成される文字列である。
【００３０】
また、メモリ４４は、例えば、ワーキングメモリを含み、制御部４５による演算処理に利用される。また、メモリ４４には、複数のアプリケーションや当該アプリケーションが必要とする各種のテーブル等が記憶されている。
【００３１】
また、メモリ４４には、図４に示すように、各種アプリケーション（本実施形態においては、アドレス帳アプリＡ１、メールアプリＡ２、電話アプリＡ３、ブラウザアプリＡ４、スケジュールアプリＡ５、メモアプリＡ６及び文字入力アプリＡ７）が記憶されている。
【００３２】
アドレス帳アプリＡ１とは、アドレス帳を利用可能に連携され、読み等を検索キーワードとしてアドレス帳を検索して、レコードに対応付けられた所望の名称又はアドレス情報等を抽出したり、抽出したアドレス情報を指定することにより、アドレス情報に対応した処理（例えば、電話、メール、ブラウジング等）を行ったりすることができるように構成されるアプリケーションである。
【００３３】
メールアプリＡ２とは、メールの作成、閲覧又は送受信のメールに関する処理を行うことができるように構成されるアプリケーションである。また、メールアプリＡ２は、メールの宛先入力等において、アドレス帳と連携可能に構成される。
【００３４】
電話アプリＡ３とは、電話の発着信の処理を行うことができるように構成されるアプリケーションである。また、電話アプリＡ３は、発信先の指定や着信の表示等において、アドレス帳と連携可能に構成される。また、電話アプリＡ３は、待ち受け状態においても起動している常駐アプリケーションである。
【００３５】
ブラウザアプリＡ４とは、所定のアドレスに対応したホームページ等を閲覧可能に構成されるアプリケーションである。また、ブラウザアプリＡ４は、アドレスの指定等において、アドレス帳と連携可能に構成される。
【００３６】
スケジュールアプリＡ５とは、カレンダーと連動して登録したスケジュールの管理を行うアプリケーションである。登録したスケジュールは、スケジュールの日時やスケジュール番号等のスケジュールの情報を検索キーワードとすることにより所望のスケジュールを検索することができる。また、スケジュールアプリＡ５に登録されたスケジュールは、所定の日時に通知を行うようにすることができる。
【００３７】
メモアプリＡ６とは、テキストを登録することができ、メモ毎に管理されるアプリケーションである。メモに割り当てられた番号やメモに登録されたテキストを検索キーワードにして所望のメモを検索することができる。
【００３８】
文字入力アプリＡ７とは、操作キー１１からの入力を表示したり、各種アプリケーションに展開したりするように構成されるアプリケーションである。文字入力アプリＡ７は、設定により、待ち受け画面において入力操作キー１４が操作されることにより、入力操作キー１４にアサインされる文字、数字又は記号のいずれかを表示することができるように構成される。また、文字入力アプリＡ７は、設定により、入力操作キー１４にアサインされる文字、数字又は記号について、同時に複数の表示を行うことができるように構成される。
【００３９】
操作キー１１は、機能設定キー１３、入力操作キー１４、選択操作キー１５及び決定操作キー１６により構成される。機能設定キー１３は、所定の機能を実行可能に構成されるキーである。入力操作キー１４は、文字入力や数字入力等の各種入力に対応したキーである。選択操作キー１５は、複数の候補の中から選択をするキーである。決定操作キー１６は、選択されている機能を実行（確定）させるためのキーである。
また、操作キー１１の各キー（機能設定キー１３、入力操作キー１４、選択操作キー１５及び決定操作キー１６）は、原則的に現在アクティブに起動されているアプリケーションに応じて、所定の機能が割り当てられる。
【００４０】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であっても良い。
【００４１】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置に送信する。また、その一方で、メインアンテナ４０によって受信している信号の強度を制御部４５に通知する。
【００４２】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００４３】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００４４】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００４５】
制御部４５は、携帯電話機１の全体を制御しており、中央処理装置（ＣＰＵ）等を用いて構成される。
【００４６】
このように構成される携帯電話機１は、入力された文字列に基づいて変換候補文字列として、アドレス情報を利用可能な機能を有する。
【００４７】
以下に、携帯電話機１に係る上記機能を発揮するための構成と動作について、説明する。
携帯電話機１は、メモリ４４（記憶部）と、入力操作キー１４（操作部）と、表示部２１と、検索実行部４６と、制御部４５とを備える。
メモリ４４（記憶部）は、名称とアドレス情報とが対応付けられるアドレス帳を記憶する。
入力操作キー１４（操作部）は、文字列を入力することができるように構成される。
表示部２１は、入力操作キー１４（操作部）により入力された入力文字列と、当該入力文字列の変換候補となる変換候補文字列とを表示する。
検索実行部４６は、入力操作キー１４（操作部）への操作により入力された入力文字列に基づいて、アドレス帳に対して検索を実行する。
制御部４５は、検索実行部４６により検索された入力文字列に対応する名称又はアドレス情報を変換候補文字列として表示部２１に表示させる。
【００４８】
このように構成される携帯電話機１は、入力操作キー１４（操作部）に対して文字列を入力する操作がされることで、検索実行部４６により、入力された入力文字列に基づいて、アドレス帳に対して検索を実行する。そして、携帯電話機１は、検索実行部４６により検索された入力文字列に対応する名称又はアドレス情報を変換候補文字列として、制御部４５により表示部２１に表示させる。
【００４９】
携帯電話機１においては、入力文字列に対応するアドレス情報がアドレス帳から検索された場合には、例えば、後述する図５（ｂ）に示すように、変換候補文字列として変換候補を表示する欄に表示される。その結果、携帯電話機１においては、変換候補文字列を選択することにより、入力文字列と変換する等の利用に供される。
【００５０】
したがって、携帯電話機１においては、入力された文字列に基づいて、変換候補文字列としてアドレス帳の情報（名称又はアドレス情報）を利用することができる。
【００５１】
また、携帯電話機１は、文字列を入力するだけで、変換候補文字列としてアドレス帳の情報が表示される。このため、携帯電話機１においては、別途アドレス帳を利用するために操作が不要になるために、簡単にアドレス帳に登録される情報を利用することができ、利便性を向上させることができる。
【００５２】
また、携帯電話機１は、例えば、メール本文作成中に、アドレス帳を参照したい場合でも、メール作成を中止して、別途アドレス帳の検索をする等の操作が不要になる。このため、ユーザにとっては、メール作成の作業が中断されず、操作感を損ねることがない。
【００５３】
また、携帯電話機１においては、アドレス帳の情報が入力文字列に対する変換候補として表示されるために、ユーザに対して、アドレス帳の情報を利用していることへの違和感を与えることがない。
【００５４】
また、携帯電話機１は、選択操作キー１５（選択部）と、決定操作キー１６（確定部）と、アドレス情報処理部４７とを備える。
選択操作キー１５（選択部）は、変換候補文字列を選択する。
決定操作キー１６（確定部）は、選択操作キー１５（選択部）により選択された変換候補文字列を確定する。
アドレス情報処理部４７は、アドレス情報に対応した処理を行う。
制御部４５は、選択操作キー１５（選択部）により、アドレス情報に連携した変換候補文字列が選択されると共に、決定操作キー１６（確定部）により、選択された変換候補文字列が確定された場合には、当該変換候補文字列に連携したアドレス情報に対応した処理を行うようにアドレス情報処理部４７を制御する。
【００５５】
アドレス情報に対応した処理とは、例えば、アドレス情報の属性に合わせて、所定のアプリケーションを起動する等の処理である。また、アドレス情報に対応した処理は、例えば、「＠」を含むものであったらメールアドレスとし、このアドレス情報を指定することで、当該メールアドレスを宛先とするメールの作成が行われる。また、所定の桁数の数字であったら電話番号とし、このアドレス情報を指定することで、当該電話番号を発信先とする電話の発信が行われる。また、ｗｗｗを含むものであったらウェブアドレスとし、このアドレス情報を指定することで、当該ウェブアドレスをアドレスとしてブラウザの表示を行う。
【００５６】
このように構成される携帯電話機１においては、選択操作キー１５（選択部）が操作されて、アドレス情報に連携した変換候補文字列が選択されると共に、決定操作キー１６（確定部）が操作され、選択された変換候補文字列が確定される。この場合には、制御部４５は、当該変換候補文字列に連携したアドレス情報に対応した処理を行うようにアドレス情報処理部４７を制御する。
携帯電話機１においては、例えば、メールアドレスに対応した変換候補文字列を確定することにより、メールアプリＡ２が起動されて、メールアドレスを送信先とするメールの作成画面を表示する。
【００５７】
したがって、携帯電話機１は、変換候補文字列を選択し、確定することにより、アドレス情報に合わせたアプリケーションの起動等の処理が行われるために、利便性が向上する。
【００５８】
また、携帯電話機１は、所定の文字入力可能なアプリケーションで操作をしている場合でも、他のアプリケーションでの処理が可能であるため、一のアプリケーションを使用しているにも関わらず、同時に複数のアプリケーションを起動して使用しているような操作感をユーザに与えることができる。
【００５９】
また、携帯電話機１は、文字入力アプリケーションの操作上で、他のアプリケーションの処理が行われるために、操作中のアプリケーションの操作を中断して、改めて他のアプリケーションを立ち上げる等の操作が不要になるために、円滑な操作感をユーザに与えることができる。
【００６０】
また、携帯電話機１は、選択操作キー１５（情報選択部）を備える。
選択操作キー１５（情報選択部）は、アドレス情報を選択する。
メモリ４４（記憶部）は、名称と複数のアドレス情報とが対応付けられるアドレス帳を記憶する。
制御部４５は、選択操作キー１５（選択部）により、アドレス情報に連携した変換候補文字列が選択されると共に、決定操作キー１６（確定部）により、決定された変換候補文字列が確定された場合には、当該変換候補文字列に連携した複数のアドレス情報を表示部２１に表示させると共に、選択操作キー１５（情報選択部）により、一のアドレス情報が選択された場合には、当該一のアドレス情報に対応した処理を行うようにアドレス情報処理部４７を制御する。
【００６１】
このように構成される携帯電話機１は、変換候補文字列を選択し、確定した場合には、関連するアドレス情報を表示部２１に表示する。そして、携帯電話機１は、表示された複数のアドレス情報のうちで一のアドレス情報を選択した場合には、当該アドレス情報に対応した処理を行うように、制御部４５がアドレス情報処理部４７を制御する。
携帯電話機１においては、例えば、後述する図５（ｅ）に示すように、変換候補文字列に対して複数の電話番号が表示される。また、複数のアドレス情報は、電話番号及びメールアドレスであっても良い。
【００６２】
したがって、携帯電話機１は、変換候補文字列が複数のアドレス情報に対応付けられている場合であっても、利用することができる。
【００６３】
また、携帯電話機１は、選択操作キー１５（選択部）と、決定操作キー１６（確定部）と、置換部４８とを備える。
選択操作キー１５（選択部）は、変換候補文字列を選択する。決定操作キー１６（確定部）は、選択操作キー１５（選択部）により選択された変換候補文字列を確定する。置換部４８は、入力された入力文字列をアドレス情報に置換する。
制御部４５は、選択操作キー１５（選択部）により、アドレス情報に連携した変換候補文字列が選択されると共に、決定操作キー１６（確定部）により、選択された変換候補文字列が確定された場合には、入力された入力文字列をアドレス情報に置換するように置換部４８を制御する。
【００６４】
このように構成される携帯電話機１においては、選択操作キー１５（選択部）により、アドレス情報に連携した変換候補文字列を選択すると共に、決定操作キー１６（確定部）により、選択された変換候補文字列を確定する。この場合には、携帯電話機１は、入力された入力文字列をアドレス情報に置換するように制御部４５が置換部４８を制御する。
携帯電話機１においては、例えば、アドレス情報に対応付けられた変換候補文字列を確定した場合には、変換候補文字列として表記されている名称を確定文字列とせず、変換候補文字列に対応するアドレス情報（メールアドレス等）に置換して確定文字列として表示する。
【００６５】
したがって、携帯電話機１は、アドレス情報に連携する変換候補文字列を選択して確定することにより、入力文字列がアドレス情報に置換されるために、アドレス情報を文字情報として利用することができる。このために、携帯電話機１においては、例えば、メールアドレスを送信相手に知らせるためにメール本文に記載したい場合等において、メール作成に際して、アドレス情報を控えておく必要がなくなる。また、携帯電話機１は、アドレス情報を文字情報として利用することができ、利便性を向上させることができる。
【００６６】
また、携帯電話機１は、態様変更部４９を備える。
態様変更部４９は、表示部２１に表示される変換候補文字列を通常の表示と、当該通常の表示とは異なる態様で表示するように表示を変更する。
制御部４５は、アドレス情報に連携した変換候補文字列が表示される場合には、通常の表示とは異なる態様で表示するように態様変更部４９を制御する。
【００６７】
このように構成される携帯電話機１は、アドレス情報に連携した変換候補文字列が表示される場合には、通常の表示とは異なる態様で表示するように、制御部４５が態様変更部４９を制御する。
携帯電話機１においては、例えば、後述する図５（ｂ）に示すように、名称の表記と共に、アドレス帳を模式的に示したアイコン画像が表示される。
【００６８】
したがって、携帯電話機１においては、アドレス情報に連携した変換候補文字列が表示される場合には、通常の表示とは異なる態様で表示されるために、アドレス情報に連携した変換候補文字列であるか否かを容易に判別することができ、利便性を向上させることができる。また、異なる態様とは、アイコン画像によるものではなく、色や字体等を異ならせる態様であっても良い。
【００６９】
また、携帯電話機１においては、アドレス情報に対応した処理として複数の処理を有する。複数の処理とは、例えば、電話の発信、メールの作成、ブラウザの表示があげられる。
制御部４５は、複数の処理の各々に対応して表示されるアドレス情報に連携した変換候補文字列をそれぞれ異なる態様で表示するように態様変更部４９を制御する。
【００７０】
このように構成される携帯電話機１は、複数の処理の各々に対応して表示されるアドレス情報に連携した変換候補文字列をそれぞれ異なる態様で表示するように、制御部４５が態様変更部４９を制御する。
携帯電話機１においては、例えば、後述する図５（ｂ）に示すように、名称と共に表示される画像を、電話番号のアドレス情報であれば受話器を模式的に示した画像で表示し、メールアドレスのアドレス情報であればメールを模式的に示した画像で表示される。また、異なる態様とは、アイコン画像によるものではなく、色や字体等を異ならせる態様であっても良い。
【００７１】
したがって、携帯電話機１は、処理毎において変換候補文字列を異なる態様で表示するために、例えば、画像等を用いて表示を変えることで、変換候補文字列がどの処理を行うことができるアドレス情報であるかを判別することができ、利便性を向上させることができる。
【００７２】
また、メモリ４４（記憶部）は、名称と登録番号とが対応付けられるアドレス帳を記憶する。
入力操作キー１４（操作部）は、文字と数字の双方が割り当てられる複数のキーを有する。
表示部２１は、初期画面が表示されている状態で、操作部の各キーが操作された場合に、操作されたキーに割り当てられている文字と数字を同時に表示する。
制御部４５は、表示部２１に初期画面が表示されている状態から、入力操作キー１４（操作部）の各キーが操作され、当該操作に応じた文字列と数字列が表示部２１に同時に表示された状態において、検索実行部４６による検索の結果、表示部２１に表示された数字列が登録番号と一致した場合には、当該登録番号に対応する名称又はアドレス情報を変換候補文字列として表示部２１に表示させる。
【００７３】
このように構成される携帯電話機１は、表示部２１に初期画面が表示されている状態から、入力操作キー１４（操作部）の各キーが操作され、当該操作に応じた文字列と数字列が表示部２１に同時に表示された状態において、検索実行部４６による検索の結果、表示部２１に表示された数字列が登録番号と一致した場合には、当該登録番号に対応する名称又はアドレス情報を変換候補文字列として、制御部４５が表示部２１に表示させる。
携帯電話機１においては、例えば、後述する図７（ｃ）に示すように、「１」と入力されて、登録番号が「１」であるアドレス情報に対応した変換候補文字列が選択された場合に、電話番号表示部分１０３に登録番号に対応する電話番号が表示される。そして、携帯電話機１においては、決定操作キー１６等が操作されることにより、表示される電話番号への発信が行われる。
【００７４】
したがって、携帯電話機１は、名称又はアドレス情報に対応付けられている登録番号からも名称又はアドレス情報を表示させることができるために、例えば、「鈴木」の登録番号が「１」である場合において、通常のアドレス帳の検索においては、読みに対応する「すずき」の入力文字列の入力（ユーザは、「３３３３３３＊２」の計８回の入力操作キー１４の操作）が必要であるが、登録番号「１」の数字列の入力（ユーザは、表示と同じ「１」の１回の入力操作キー１４の操作）で済むために、入力操作を簡易にすることができる。
【００７５】
また、メモリ４４（記憶部）は、名称と複数のアドレス情報とが対応付けられるアドレス帳を記憶する。
入力操作キー１４（操作部）は、文字と数字の双方が割り当てられる複数のキーを有する。
表示部２１は、初期画面が表示されている状態で、入力操作キー１４（操作部）の各キーが操作された場合に、操作されたキーに割り当てられている文字と数字を同時に表示する。
制御部４５は、表示部２１に初期画面が表示されている状態から、入力操作キー１４（操作部）の各キーが操作され、当該操作に応じた文字列と数字列が表示部２１に同時に表示された状態において、検索実行部４６による検索の結果、表示部２１に表示された数字列がアドレス帳の電話番号により構成されるアドレス情報と一致した場合には、当該アドレス情報に対応付けられる名称又は当該名称に対応付けられる他のアドレス情報を表示部２１に表示させる。
【００７６】
このように構成される携帯電話機１は、表示部２１に初期画面が表示されている状態から、入力操作キー１４（操作部）の各キーが操作され、当該操作に応じた文字列と数字列が表示部２１に同時に表示された状態において、検索実行部４６による検索の結果、数字列がアドレス帳の電話番号により構成されるアドレス情報と一致した場合には、当該アドレス情報に対応付けられる名称又は当該名称に対応付けられる他のアドレス情報を制御部４５が表示部２１に表示させる。なお、一致とは、完全一致を示すものではなく、一部が一致する場合も含む。
携帯電話機１においては、例えば、待ち受け画面から、入力操作キー１４を操作することで、入力文字列に対応する電話番号を表示する。そして、携帯電話機１においては、決定操作キー１６等が操作されることにより、表示される電話番号への発信が行われる。
【００７７】
したがって、携帯電話機１は、初期画面から入力操作キー１４により入力された数字列に対応する該当する電話番号がある場合には、該当する電話番号の表示が行われる。このために、携帯電話機１においては、例えば、電話アプリＡ３を起動する等の操作がなくなるために、簡単に電話の発信を行うことができ、利便性を向上させることができる。
【００７８】
また、携帯電話機１は、選択操作キー１５（選択部）と、置換部４８とを備える。
選択操作キー１５（選択部）は、変換候補文字列を選択する。
置換部４８は、アドレス情報と入力文字列又は入力数字列を置換する。
入力操作キー１４（操作部）は、文字と数字の双方が割り当てられている複数のキーを有する。
表示部２１は、初期画面が表示されている状態で、操作部の各キーが操作された場合に、操作されたキーに割り当てられている文字と数字を同時に表示する。
制御部４５は、表示部２１に初期画面が表示されている状態から、入力操作キー１４（操作部）の各キーが操作され、当該操作に応じた文字列と数字列が表示部２１に同時に表示された状態において、検索実行部４６による検索の結果として表示部２１に表示された名称に対応する変換候補文字列が選択操作キー１５（選択部）により選択された場合には、表示部２１に表示された数字列を当該名称に対応付けられる電話番号により構成されるアドレス情報に置換するように置換部４８を制御する。
【００７９】
このように構成される携帯電話機１は、表示部２１に初期画面が表示されている状態から、入力操作キー１４（操作部）の各キーが操作され、当該操作に応じた文字列と数字列が表示部２１に同時に表示された状態において、検索実行部４６による検索の結果として表示部２１により表示された名称に対応する変換候補文字列が選択操作キー１５（選択部）により選択された場合には、表示部２１に表示された数字列を当該名称に対応付けられる電話番号により構成されるアドレス情報に置換するように制御部４５が置換部４８を制御する。
携帯電話機１は、後述する図７（ｃ）に示すように、例えば、アドレス帳に登録される電話番号に対応する変換候補文字列を選択することにより、電話番号表示部分１０３に変換候補文字列に対応する電話番号が数字列に代わって表示される。また、他の変換候補文字列を選択した場合には、入力された数字列が表示される。
【００８０】
したがって、携帯電話機１は、アドレス帳の名称に対応する変換候補文字列が選択された場合には、表示部２１に表示される数字列と電話番号を置換して表示するために、ユーザに対しては、変換候補文字列の内容となる電話番号を表示することができる。このため、ユーザは、変換候補文字列に対応する電話番号を確認及び電話番号への発信を行うことができ、利便性を向上させることができる。
【００８１】
次に、本実施形態の携帯電話機１の動作について図５、図６及び図７の各画面遷移図と図８に示すフローチャートを参照しながら、説明する。
なお、図５は、初期画面（図５（ａ）を参照）から、キーが操作されて、当該操作に基づいて「すずき」と「３３３３３３＊２２」が入力された画面（図５（ｂ）を参照）に遷移し、その後、変換候補表示部分１０２からアドレス帳に連携する「鈴木一郎」が選択され、確定された画面（図５（ｃ）を参照）に遷移し、その後、文字表示部分１０１に表示されている所定のアイコンが選択され、「鈴木一郎」に「電話する」等が選択可能なポップアップが表示される画面（図５（ｄ）を参照）に遷移し、その後、当該ポップアップから「電話をする」が選択されたときの画面（図５（ｅ）を参照）に遷移する様子を示している。また、図５（ｅ）は、２つの電話番号が登録されている場合を想定している。
また、図６は、初期画面（図６（ａ）を参照）から、キーが操作されて、当該操作に基づいて「すずき」と「３３３３３３＊２２」が入力された画面（図６（ｂ）を参照）に遷移し、その後、変換候補表示部分１０２からアドレス帳に連携する「鈴木一郎」が選択され、確定されることにより、「鈴木一郎」に対する選択可能な機能が画面（図６（ｃ）を参照）に遷移する様子を示している。また、図６（ｂ）における変換候補表示部分１０２の反転表示は、アドレス帳に連携した変換候補文字列であることを示している。
また、図７は、初期画面（図７（ａ）を参照）から、キーが操作されて、当該操作に基づいて「すずき」と「３３３３３３＊２２」が入力された画面（図７（ｂ）を参照）に遷移し、その後、変換候補表示部分１０２からアドレス帳に連携する「鈴木一郎」が選択されることにより、電話番号表示部分１０３に「鈴木一郎」に対応する電話番号が表示された画面に遷移する様子を示している。
【００８２】
ステップＳ１において、制御部４５は、文字入力アプリＡ７の起動（ループ）を行い、ステップＳ２に進む。具体的には、制御部４５は、例えば、携帯電話機１の起動と共に、文字入力アプリＡ７を起動する。
文字入力アプリＡ７を起動することにより、携帯電話機１においては、図５（ａ）に示すように、待機状態となる待ち受け状態から、入力操作キーへ操作がされることにより、各種の処理が可能な状態となる。なお、本行程からＳ１０までは、文字入力アプリＡ７の終了がされるまで、巡回して処理される。
【００８３】
ステップＳ２において、入力操作キー１４は、キー入力を行い、ステップＳ３に進む。具体的には、入力操作キー１４によりキー入力（入力文字列の入力）がされ、制御部４５は、入力操作キー１４からのキー入力を受け付ける。本工程において、制御部４５は、キー入力を受けることにより、図５（ｂ）に示すように、画面１００の文字表示部分１０１には、キー入力に対応して「すずき」を表示部２１に表示させると共に、画面１００の電話番号表示部分１０３にキー入力に対応する数字及び記号「３３３３３３＊２２」が表示される。
【００８４】
ステップＳ３において、制御部４５は、キーの判定を行い、ステップＳ４に進む。具体的には、制御部４５は、入力キーが文字の入力（文字入力）であるか、候補（通常候補（変換候補、予測候補）、アドレス帳候補）の選択に係る入力であるか否かを判定する。文字入力である場合には、ステップＳ６に進み。また、候補の選択に係る入力であると判定された場合（候補の選択）には、ステップＳ４に進む。
【００８５】
ステップＳ４において、制御部４５は、選択された候補が通常候補（変換候補あるいは予測候補）であるかアドレス帳候補であるか否かの判定を行う。通常候補であると判断された場合（通常予測候補）には、ステップＳ６に進む。また、アドレス帳候補であると判断された場合（アドレス帳候補）には、ステップＳ５−１に進む。
【００８６】
ステップＳ５−１において、制御部４５は、アドレス帳連携機能一覧表示を行い、ステップＳ５−２に進む。具体的には、制御部４５は、選択された変換候補文字列に対応するアドレス情報により処理可能なアプリケーションの機能の一覧を表示部２１に表示させる。
【００８７】
図５（ｃ）に示すように、携帯電話機１においては、画面１００の変換候補表示部分１０２に表示される変換候補文字列の中から、アドレス情報に対応する変換候補文字列「鈴木一郎」が選択され、確定された場合には、図５（ｄ）に示すように、アドレス情報に対応して処理されるアプリケーションの一覧を別途表示する。
また、制御部４５は、アドレス情報に対応する処理が複数ない場合には、表示を行わずに、アドレス情報に対応する処理をアドレス情報処理部４７に実行させても良い。
なお、本実施形態においては、アプリケーションの一覧表示は、アドレス情報に対応する処理を一覧表示したがこれに限られない。アプリケーションの一覧表示は、例えば、携帯電話機１が可能な全ての処理を一覧で表示して、アドレス情報に対応していない処理に関しては、表示を行うが選択ができないように表示するように構成しても良い。
【００８８】
ステップＳ５−２において、制御部４５は、文字入力候補選択であるか機能選択であるかの判定行う。具体的には、表示部２１は、図５（ｄ）に示すように、選択可能な機能を表示する。そして、選択可能な機能（例えば、電話、Ｅメール及びＳＭＳメール）の中から所定の機能を選択するか、機能の選択を行わずに、決定操作キー１６等により、文字入力候補の選択を行う。制御部４５は、このような選択に基づいて、文字入力候補選択であるか機能選択であるかの判定を行う。
制御部４５により文字入力候補を選択すると判定された場合（文字入力候補選択）には、ステップＳ６に進む。また、制御部４５により、機能を選択すると判定された場合（機能選択）には、ステップＳ５−３に進む。
【００８９】
ステップＳ５−３において、制御部４５は、アドレス帳に連携する機能を実行し、処理を終了する。具体的には、制御部４５は、ステップＳ５−２で選択された機能に基づいて、アドレス情報処理部４７に機能を実行（処理）させる。
この際、制御部４５は、図５（ｅ）に示すように、選択された機能（電話アプリＡ３を実行し電話発信を行う表示「電話する」）に対応するアドレス情報（電話番号）が複数ある場合には、さらに、アドレス情報の一覧を表示部２１に表示させる。
そして、複数のアドレス情報の中から一のアドレス情報（例えば、「０９０１２３４５６７８」）が選択された場合には、制御部４５は、選択されたアドレス情報（「０９０１２３４５６７８」）への処理（電話の発信）をアドレス情報処理部に行わせる。
【００９０】
なお、本実施形態においては、実行するアプリケーションが選択されたときに、対応するアドレス情報が複数ある場合には、図５（ｅ）に示すように、複数のアドレス情報を別途表示するようにしたがこれに限られない。例えば、使用頻度の高いと思われるアドレス情報（例えば、登録順が早いアドレス情報）に対する処理が実行されるように優先順位をつけて例えば、選択を行わずに処理を行うようにしても良い。
【００９１】
ステップＳ６において、制御部４５は、文字入力バッファに追加を行い、ステップＳ７に進む。具体的には、制御部４５は、ステップＳ３、ステップＳ４及びステップＳ５−２において、文字入力と判定されているため、入力された入力文字列に対応する文字をメモリ４４の文字入力バッファに追加する。なお、ステップＳ３については、入力文字列を確定文字列とする処理のため、以下の処理を行わずに、画面１００の文字表示部分１０１に確定文字列を表示する。
【００９２】
ステップＳ７において、制御部４５は、変換ＤＢ検索を行い、ステップＳ８に進む。具体的には、ステップＳ４において通常候補が選択されている場合には、制御部４５は、検索実行部４６に変換ＤＢを検索させて、入力文字バッファに保持されている文字列に対して、変換候補又は予測候補を抽出させる。
【００９３】
ステップＳ８において、制御部４５は、アドレス帳ＤＢ検索を行い、ステップＳ９に進む。具体的には、ステップＳ５−２において文字入力候補が選択されている場合には、制御部４５は、検索実行部４６にアドレス帳ＤＢを検索させ、入力文字バッファに保持されている文字列に対して、アドレス帳候補を抽出させる。
【００９４】
なお、検索実行部４６にアドレス帳ＤＢを検索は、入力文字列を検索キーワードとして行われる。この際、アドレス帳のレコードに登録される情報（例えば、名称、メールアドレス、電話番号、住所及びｗｅｂアドレス）について検索を行う。そして、検索登録される情報に一致した情報が検索され、当該一致した情報と同じレコードの名称が変換候補文字列として後に表示される。
【００９５】
ステップＳ９において、制御部４５は、変換候補表示を行い、ステップＳ１０に進む。具体的には、制御部４５は、図５（ｂ）に示すように、ステップＳ７において抽出された変換候補又は予測候補を画面１００の変換候補表示部分１０２に表示させる（図中、変換候補表示部分１０２に表示される「鈴木」等）。また、制御部４５は、ステップＳ８において抽出されたアドレス帳候補を画面１００の変換候補表示部分１０２に表示させる（図中、変換候補表示部分１０２に表示される「鈴木一郎」及び「鈴木次郎」）。
【００９６】
なお、アドレス情報に対応付けられる候補を表示する場合には、図６（ｂ）に示すように、他の変換候補文字列とは異なるように表示することができる。図６（ｂ）において、変換候補表示部分１０２において反転表示されるのはアドレス情報に対応付けられる変換候補文字列である。
【００９７】
ステップＳ１０において、制御部４５は、文字入力アプリＡ７の終了を行い、処理を終了する。具体的には、制御部４５は、選択された変換候補文字列の表記や対応するアドレス情報のテキスト表記に基づいて、選択された変換候補文字列を確定文字として、表示部２１に表示させる。
【００９８】
この際、携帯電話機１においては、変換候補文字列の確定時に、機能設定キー１３等の特定のキーを操作することにより、図６（ｃ）に示すように、各種の検索（インターネット、キーワード、乗換、地図、Ｅメール及びＥメール本文）を行う選択画面を表示するようにしても良い。また、アドレス情報に対応する変換候補文字列に、機能設定キー１３等の特定のキーを操作がされた場合には、図６（ｃ）に一点鎖線内に示すように、アドレス情報に対応した処理を選択画面上に、各種の検索に加えて、表示させるようにしても良い。
【００９９】
また、ステップＳ１０においては、制御部４５は、文字入力アプリＡ７の終了を行わない場合には、再度ステップＳ２に戻る。
【０１００】
このようにして、携帯電話においては、入力された文字列に基づいてアドレス情報を利用することができる。
【０１０１】
次に、待ち受け状態（待機状態）において、文字入力アプリＡ７が起動しており、入力されたキーに対応する検索結果が画面（文字表示部分及び電話番号表示部分）上に同時に表示される態様における携帯電話機１の動作について、図５、図６及び図７の各画面遷移図と図９に示すフローチャートを参照しながら、説明する。
【０１０２】
ステップＳ２１において、制御部４５は、文字入力アプリＡ７の起動（ループ）を行い、ステップＳ２２に進む。具体的には、制御部４５は、例えば、携帯電話機１の起動と共に、文字入力アプリＡ７を起動する。本態様の携帯電話機１においては、携帯電話機１を起動することにより、文字入力アプリＡ７が起動・常駐している。
【０１０３】
携帯電話機１の起動により、文字入力アプリＡ７を起動することにより、携帯電話機１においては、図５（ａ）に示すように、待機状態となる待ち受け状態から、入力操作キーへ操作がされることにより、各種の処理が可能な状態となる。なお、本行程からＳ３０までは、文字入力アプリＡ７の終了がされるまで、巡回して処理される。
【０１０４】
ステップＳ２２において、入力操作キー１４は、キー入力を行い、ステップＳ２３に進む。具体的には、入力操作キー１４によりキー入力（入力文字列の入力）がされ、制御部４５は、入力操作キー１４からのキー入力を受け付ける。本工程において、制御部４５は、キー入力を受けることにより、図５（ｂ）に示すように、画面１００の文字表示部分１０１には、キー入力に対応して「すずき」を表示部２１に表示させると共に、画面１００の電話番号表示部分１０３にキー入力に対応する数字及び記号「３３３３３３＊２２」が表示される。
【０１０５】
ステップＳ２３において、制御部４５は、キーの判定を行い、ステップＳ２４に進む。具体的には、制御部４５は、入力キーが文字の入力（文字入力）であるか、候補（通常候補（変換候補、予測候補）、アドレス帳候補）の選択に係る入力であるか否かを判定する。文字入力である場合には、ステップＳ２６に進む。また、候補の選択に係る入力であると判定された場合（候補の選択）には、ステップＳ２４に進む。
【０１０６】
ステップＳ２４において、制御部４５は、選択された候補が通常候補（変換候補あるいは予測候補）であるかアドレス帳候補であるか否かの判定を行う。通常候補であると判断された場合（通常予測候補）には、ステップＳ２６に進む。また、アドレス帳候補であると判断された場合（アドレス帳候補）には、ステップＳ２５−１に進む。
【０１０７】
ステップＳ２５−１において、制御部４５は、アドレス帳連携機能一覧表示を行い、ステップＳ２５−２に進む。具体的には、制御部４５は、選択された変換候補文字列に対応するアドレス情報により処理可能なアプリケーションの機能の一覧を表示部２１に表示させる。
【０１０８】
図５（ｂ）に示すように、携帯電話機１においては、画面１００の変換候補表示部分１０２に表示される変換候補文字列の中から、アドレス情報に対応する変換候補文字列「鈴木一郎」が選択され、確定された場合には、図５（ｄ）に示すように、アドレス情報に対応して処理されるアプリケーションの一覧を別途表示する。
また、制御部４５は、アドレス情報に対応する処理が複数ない場合には、表示を行わずに、アドレス情報に対応する処理をアドレス情報処理部４７に実行させても良い。
なお、本実施形態においては、アプリケーションの一覧表示は、アドレス情報に対応する処理を一覧表示したがこれに限られない。アプリケーションの一覧表示は、例えば、携帯電話機１が可能な全ての処理を一覧で表示して、アドレス情報に対応していない処理に関しては、表示を行うが選択ができないように表示するように構成しても良い。
【０１０９】
この際、図７（ｃ）に示すように、制御部４５は、アドレス情報に対応する変換候補文字列（「鈴木一郎」）を選択することにより、画面１００の電話番号表示部分１０３に表示される入力された数字列「３３３３３３＊２２」に代えて、変換候補文字列に対応するアドレス情報（「０９０１２３４５６７８」）を置換部４８に置換させても良い。そして、選択を他の変換候補文字列（例えば、「スズキ」）に切り替えた時には、再度入力された数字列「３３３３３３＊２２」に置換部４８に置換させても良い。
また、変換候補文字列に対応するアドレス情報（「０９０１２３４５６７８」）を置換部４８に置換させて表示されている時に、機能設定キー１３等を操作することにより、電話アプリＡ３を起動して、電話番号（「０９０１２３４５６７８」）に発信するようにしても良い。
【０１１０】
ステップＳ２５−２において、制御部４５は、文字入力候補選択であるか機能選択であるかの判定を行う。具体的には、表示部２１は、図５（ｄ）に示すように、選択可能な機能を表示する。そして、選択可能な機能（例えば、電話、Ｅメール及びＳＭＳメール）の中から所定の機能を選択するか、機能の選択を行わずに、決定操作キー１６等により、文字入力候補の選択を行う。制御部４５は、このような選択に基づいて、文字入力候補選択であるか機能選択であるかの判定を行う。
制御部４５により文字入力候補を選択すると判定された場合（文字入力候補選択）には、ステップＳ２６に進む。また、制御部４５により、機能を選択すると判定された場合（機能選択）には、ステップＳ２５−３に進む。
【０１１１】
ステップＳ２５−３において、制御部４５は、アドレス帳に連携した機能の実行し処理を終了する。具体的には、制御部４５は、ステップＳ２５−２で選択された機能に基づいて、アドレス情報処理部４７に機能を実行（処理）させる。
この際、制御部４５は、図５（ｅ）に示すように、選択された機能（電話アプリＡ３を実行し電話発信を行う表示「電話する」）に対応するアドレス情報（電話番号）が複数ある場合には、さらに、アドレス情報の一覧を表示部２１に表示させる。
そして、複数のアドレス情報の中から一のアドレス情報（例えば、「０９０１２３４５６７８」）が選択された場合には、制御部４５は、選択されたアドレス情報（「０９０１２３４５６７８」）への処理（電話の発信）をアドレス情報処理部に行わせる。
【０１１２】
なお、本態様の携帯電話機１においては、待ち受け状態（待機状態）で、文字入力アプリＡ７が起動しているために、待ち受け状態から所定のアプリケーションを起動することなく、アドレス情報に対応した処理を行うことができる。
【０１１３】
なお、本実施形態においては、実行するアプリケーションが選択されたときに、対応するアドレス情報が複数ある場合には、図５（ｅ）に示すように、複数のアドレス情報を別途表示するようにしたがこれに限られない。例えば、使用頻度の高いと思われるアドレス情報（例えば、登録順が早いアドレス情報）に対する処理が実行されるように優先順位をつけて例えば、選択を行わずに処理を行うようにしても良い。
【０１１４】
ステップＳ２６において、制御部４５は、文字入力バッファ及び数字入力バッファに追加を行い、ステップＳ２７に進む。具体的には、制御部４５は、ステップＳ２３、ステップＳ２４及びステップＳ２５−２において、文字入力と判定されているため、入力された入力文字列に対応する文字をメモリ４４の文字入力バッファに追加する。また、入力された入力文字列に対応する数字をメモリ４４の数字入力バッファに追加する。なお、ステップＳ２３については、入力文字列のうち文字入力に関しては、確定文字列とする処理のため、以下の処理を行わずに、画面１００の文字表示部分１０１に確定文字列を表示する。
【０１１５】
ステップＳ２７において、制御部４５は、変換ＤＢ検索を行い、ステップＳ２８に進む。具体的には、ステップＳ２４において通常候補が選択されている場合には、制御部４５は、検索実行部４６に変換ＤＢを検索させて、入力文字バッファに保持されている文字列に対して、変換候補又は予測候補を抽出させる。
【０１１６】
ステップＳ２８において、制御部４５は、アドレス帳ＤＢ検索を行い、ステップＳ２９に進む。具体的には、ステップＳ２５−２において文字入力候補が選択されている場合には、制御部４５は、検索実行部４６にアドレス帳ＤＢを検索させ、入力文字バッファに保持されている文字列に対して、アドレス帳候補を抽出させる。同時に、入力数字バッファに保持されている数字列に対して、アドレス帳候補を抽出させる。この際、制御部４５は、検索実行部４６に数字列に対しては、電話番号及び登録番号の検索を行わせる。
【０１１７】
ステップＳ２９において、制御部４５は、変換候補表示を行い、ステップＳ３０に進む。具体的には、制御部４５は、図５（ｂ）に示すように、ステップＳ２７において抽出された変換候補又は予測候補を画面１００の変換候補表示部分１０２に表示させる（図中、変換候補表示部分１０２に表示される「鈴木」等）。また、制御部４５は、ステップＳ２８において抽出された文字列及び数字列から検索されたアドレス帳候補を画面１００の変換候補表示部分１０２に表示させる（図中、変換候補表示部分１０２に表示される「鈴木一郎」及び「鈴木次郎」）。
【０１１８】
この際、図７（ｂ）に示すように、制御部４５は、アドレス情報に対応する変換候補文字列（「鈴木一郎」）を選択することにより、画面１００の電話番号表示部分１０３に表示される入力された数字列「３３３３３３＊２２」に代えて、変換候補文字列に対応するアドレス情報（「０９０１２３４５６７８」）を置換部４８に置換させても良い。そして、選択を他の変換候補文字列（例えば、「スズキ」）に切り替えた時には、再度入力された数字列「３３３３３３＊２２」に置換部４８に置換させても良い。
【０１１９】
なお、アドレス情報に対応付けられる候補を表示する場合には、図６（ｂ）に示すように、他の変換候補文字列とは異なるように表示することができる。図６（ｂ）において、変換候補表示部分１０２において反転表示されるのはアドレス情報に対応付けられる変換候補文字列である。
【０１２０】
ステップＳ３０において、制御部４５は、文字入力アプリＡ７の終了を行い、処理を終了する。具体的には、制御部４５は、選択された変換候補文字列の表記や対応するアドレス情報のテキスト表記に基づいて、選択された変換候補文字列を確定文字として、表示部２１に表示させる。
【０１２１】
この際、携帯電話機１においては、変換候補文字列の確定時に、機能設定キー１３等の特定のキーを操作することにより、図６（ｃ）に示すように、各種の検索（インターネット、キーワード、乗換、地図、Ｅメール及びＥメール本文）を行う選択画面を表示するようにしても良い。また、アドレス情報に対応する変換候補文字列に、機能設定キー１３等の特定のキーを操作がされた場合には、図６（ｃ）に一点鎖線内に示すように、アドレス情報に対応した処理を選択画面上に、各種の検索に加えて、表示させるようにしても良い。
【０１２２】
また、ステップＳ３０においては、制御部４５は、文字入力アプリＡ７の終了を行わない場合には、再度ステップＳ２２に戻る。
【０１２３】
したがって、携帯電話においては、入力された文字列に基づいてアドレス情報を利用することができる。
【０１２４】
以上、本発明に係る携帯電話機１の好適な実施形態について説明したが、本発明に係る携帯電話機１は、上述した実施形態に限定されることなく種々の形態で実施することができる。
【０１２５】
なお、本実施形態においては、文字入力アプリＡ７の起動上で、アドレス情報を変換候補文字列として利用する例を示したが、これに限られない。例えば、メールアプリＡ２、ブラウザアプリＡ４、スケジュールアプリＡ５、メモアプリＡ６等の各種アプリケーションにおける文字入力等の際に利用することができる。このように構成することにより、アドレス帳のアドレス情報の転記や、他のアプリケーションへの移行を容易に行うことができる。また、シングルタスクにおいてアプリケーションが起動する携帯電話機１においては、複数のアプリケーションが同時に立ち上がっているようなマルチタスクによる運用が可能になるような表示を行うことができる。
【０１２６】
以上、本発明は、電子装置の一例として携帯電話機１を説明したが、これに限られず、ＰＨＳ（Ｐａｓｏｎａｌ  Ｈａｎｄｙｐｈｏｎｅ  Ｓｙｓｔｅｍ）にも適用可能である。また、本発明は、ポータブルゲーム機、ポータブルナビゲーション機、ＰＤＡ（Ｐｅｒｓｏｎａｌ  Ｄａｔａ  Ａｓｓｉｓｔａｎｃｅ）、ノートパソコン等の電子機器にも適用可能である。
【符号の説明】
【０１２７】
１    携帯電話機（電子機器）
１４  入力操作キー（操作部）
１５  選択操作キー（選択部、情報選択部）
１６  決定操作キー（確定部）
２１  表示部
４４  メモリ（記憶部）
４６  検索実行部
４５  制御部
４７  アドレス情報処理部
４８  置換部
４９  態様変更部
【図１】
0005602413.tif 000002
【図２】
0005602413.tif 000003
【図３】
0005602413.tif 000004
【図４】
0005602413.tif 000005
【図５】
0005602413.tif 000006
【図６】
0005602413.tif 000007
【図７】
0005602413.tif 000008
【図８】
0005602413.tif 000009
【図９】
0005602413.tif 000010